(57)【要約】      （修正有）【課題】頭皮に傷を付けることなく、適切な力で頭皮を積極的に動かすことによって血行促進効果の大きい安全で小型な頭皮マッサージ器を提供する。【解決手段】駆動手段の回転運動を円運動として出力する円運動変換手段の出力軸に取り付けた揉み手段が回転しないで円運動をするようになしたマッサージ器において、前記駆動手段と円運動変換手段とを一体的に構成し、前記揉み手段の近傍に配設され前記駆動手段と円運動変換手段を支持する支持手段と、前記円運動変換手段と前記支持部材とのそれぞれと係合する押し付け手段とを有し、前記揉み手段を押圧したとき前記円運動変換手段が前記押し付け手段に抗して前記支持手段に対して移動可能となるように構成している。【選択図】図１
0003159397.tif 000002
【実用新案登録請求の範囲】
【請求項１】
駆動手段の回転運動を円運動として出力する円運動変換手段の出力軸に取り付けた揉み手段が回転しないで円運動をするようになしたマッサージ器において、前記駆動手段と円運動変換手段とを一体的に構成し、前記揉み手段の近傍に配設され前記駆動手段と前記円運動変換手段を支持する支持手段と、前記円運動変換手段と前記支持手段との夫々と係合する押し付け手段とを有し、前記揉み手段を押圧したとき前記円運動変換手段が前記押し付け手段に抗して前記支持手段に対して移動可能となしたことを特徴とする頭皮マッサージ器。
【請求項２】
前記円運動変換手段が前記支持手段に対して揺動可能となしたことを特徴とする請求項１に記載の頭皮マッサージ器。
【請求項３】
前記揉み手段の円運動の回転直径に対して抑制力が作用したとき、前記円運動変換手段が前記支持手段に対して揺動して前記揉み手段の実質的な回転直径が小さくなるようになしたことを特徴とする請求項１または請求項２に記載の頭皮マッサージ器。
【請求項４】
前記揉み手段の円運動の直径が１０mm〜１６mmであることを特徴とする請求項１から請求項３のいずれか一項に記載の頭皮マッサージ器。
【請求項５】
前記円運動変換手段が歯車伝動手段で構成され、前記円運動変換手段のフレームに回転可能に支承された回転盤と、前記回転盤の回転中心に同軸で前記円運動変換手段のフレームに固着した固定歯車と、前記回転盤の回転中心に対し偏芯した位置に回転可能に配設した前記出力軸と、前記出力軸の一端に固着した歯車と、前記固定歯車と前記出力軸の一端に固着した歯車の夫々と噛み合い前記回転盤上に支承した軸に回転可能にした中間歯車とを有し、前記固定歯車と前記出力軸の一端に固着した歯車の歯車比が１：１となしたことを特徴とする請求項１から請求項４のいずれか一項に記載の頭皮マッサージ器。
【請求項６】
前記頭皮マッサージ器を複数個隣接して可動支持部材上に移動可能に配設し、前記可動支持部材は所定の回転角度の反復運動または回転運動をするようになしたことを特徴とする請求項１から請求項５のいずれか一項に記載の頭皮マッサージ器。
【考案の詳細な説明】
【技術分野】
【０００１】
本考案は頭皮のマッサージ器に関し、頭部のように皮膚表面と骨との距離が小さく（以下、皮膚が薄いと言う）また弾力性が乏しくて器具によるマッサージが困難とされている頭皮おいても皮膚を積極的に動かしてマッサージを効果的に行うことができる頭皮マッサージ器に関する。
【背景技術】
【０００２】
従来から身体のマッサージ器として種種の提案がなされているが、近年は頭髪の抜け毛抑制や育毛対策として頭皮マッサージの実施が奨励され、その効果を向上させるための手段として下記の先行文献に記載のマッサージ器が提案されている。
【０００３】
しかしながら、従来から提案されているマッサージ器は大型であるため家庭で容易に使用することが困難であったり、頭皮は他の部位と異なり皮膚が薄くて肌に弾力性が乏しいため揉み部材が患部に均一に接触しなかったりして痛みを感じたり、肌を傷つけたり、頭髪を傷めたりして十分なマッサージ効果が得られないという欠点があった。
【先行技術文献】
【特許文献】
【０００４】
従来から提案されているマッサージ器としては、次に記載のものがあった。
【特許文献１】特開平10-216185号公報は、頭皮のマッサージ専用であるが、以下のような問題があった。（１）装置が大型となって容易に家庭に設置することが困難であった。（２）揉み部材を弾性体で支持し、その変形を利用しているため頭部の押圧力が適切に調整できなかったり、弾性体の耐久性に問題があった。（３）揉み部材が頭部の広範囲を覆っていること、回転運動の偏芯量が固定されているため頭の大きさや形状、皮膚の弾性等の個人差に対応して頭皮を均一にマッサージすることが困難であった。
【０００５】
【特許文献２】特開平5-42192号公報は、揉み部材に衣服が巻き込まれることを防止したものであるが、揉み部材を取り付けた傾斜軸に接続子が回転可能にされているものの接続子は傾斜軸の傾きをもって円錐運動をする。したがって、揉み部材はすりこぎ運動をすることになり揉み部材が患部に均一に当たらないため、皮膚が薄くて弾性が小さい頭皮や膝周辺のマサージにおいては、痛みを感たり皮膚を傷めるたりする場合があった。
【０００６】
【特許文献３】特開2001-190621号公報は、頭皮のマッサージ専用であり、頭部に回転ローラーをセットして、前記ローラーを回転して転がし刺激するものであるが、単に頭皮の上をローラーが転がるのみでマッサージの効果が小さかった。
【考案の概要】
【考案が解決しようとする課題】
【０００７】
本考案は、前記のような従来の欠点に鑑み、頭皮に傷を付けることなく、適切な力で頭皮を積極的に動かすことによって血行促進効果の大きい安全で小型な頭皮マッサージ器を提供することを目的としている。
【課題を解決するための手段】
【０００８】
本考案は以上の課題を解決するために、駆動手段の回転運動を円運動として出力する円運動変換手段の出力軸に取り付けた揉み手段が回転しないで円運動をするようになしたマッサージ器において、前記駆動手段と円運動変換手段とを一体的に構成し、前記揉み手段の近傍に配設され前記駆動手段と円運動変換手段を支持する支持手段と、前記円運動変換手段と前記支持部材とのそれぞれと係合する押し付け手段とを有し、前記揉み手段を押圧したとき前記円運動変換手段が前記押し付け手段に抗して前記支持手段に対して移動可能となるように構成している。更に、前記揉み手段に円運動の直径の抑制力が作用したときは前記円運動変換手段が前記支持部材に対して揺動可能となるように構成している。
【０００９】
前記円運動の直径の決定にあたって個人差のある頭皮の横移動可能距離（痛みを感じないで頭皮が頭蓋骨に対して容易に移動できる距離）を図１２に示す方法で数人測定した結果、１２mm〜１６mmの範囲であり、マッサージの効果を感じる個人差はこの横移動可能距離と関係があることが分かった。
例えば、揉み手段の回転直径が５〜８ｍｍと小さいと、ほとんどの人がマッサージに物足りなさを感たり頭皮の赤みの変化も小さかった。
揉み手段の回転直径が２０ｍｍを超えると、痛みを感じたり頭皮の赤みの変化が大きく不安を感じることがあった。
前記直径が１８ｍｍのときは前記同様に、やや不安を感じた。
マッサージの際、頭皮に痛みを感じたり異常な赤みが発生する場合は、揉み手段によって頭皮を無理やり動かしているか、揉み手段と頭皮の間で摩擦が発生しているためと考えられる。
【００１０】
前記の状況を鑑み、頭皮が受ける揉み手段の円運動の直径は各個人の横移動可能距離に近づけて１０〜１６ｍｍ範囲とし、マッサージを受ける人の頭皮の横移動可能距離のそれぞれに対応できる機能をマッサージ器が持つように構成している。
【考案の効果】
【００１１】
以上の説明から明らかなように、本考案にあっては次の効果が得られる。
前記駆動手段と円運動変換手段とを一体的に構成し、前記揉み手段の近傍に配設され前記駆動手段と円運動変換手段を支持する支持手段と、前記円運動変換手段と前記支持手段とのそれぞれと係合する押し付け手段とを有し、前記揉み手段を押圧したとき円運動変換手段が前記支持手段に対して前記押し付け手段に抗して移動可能となるように構成している。
【００１２】
したがって、揉み手段が患部に接触したら押し付け手段に抗して支持手段を患部に接触または近傍に位置させるため適切な押し付け力でマッサージが可能となり、皮膚を傷つけることもなく、安全にマッサージを行うことができる。また、支持手段を揉み手段の近傍に配設しているため患部の形状に影響されることなく常に最適な押し付け力でマッサージが可能となる。
【００１３】
更に、前記円運動変換手段の軸心を前記支持手段に対して揺動可能とし、皮膚の横移動可能距離が前記円運動変換手段の円運動の直径より小さいときは、揉み手段の円運動に対して抑制力が作用して前記円運動変換手段の軸心を揺動させるため患部に対する実質的な円運動の直径が小さくなる。（図８a、図８ｂ参照）。
したがって、頭皮の弾力性の個人差に対応して積極的に頭皮を動かすことが可能となるため痛みを感じず、頭皮を傷つけることなく安全にマッサージを行うことができる。
【考案を実施するための形態】
【実施例１】
【００１４】
以下、本考案の実施の形態を図に基づいて説明する。
図１は本考案の一実施形態の断面図、図２は図１のＡ−Ａ断面図、図３は図１のＢ−Ｂ断面図で歯車の噛み合いと回転方向を示す説明図、図４は図１のＣ−Ｃ断面図、図５は図１における揉み部材を矢印Ｄから見た平面図である。
図６は 図１の装置を頭部に当てマッサージをしている状態を示す断面図、図７は図６を矢印Ｅから見た側面図である。
図８ａは揉み手段の円運動の直径を示す説明図、図８ｂは揉み手段が円運動に対して抑制を受けた場合の実質の円運動の直径を示す説明図、図９は揉み手段が円運動に対して抑制を受けない場合のマッサージの状態を示す説明図である。
本実施形態は、駆動手段、円運動変換手段、揉み手段、押し付け手段、支持手段から構成されており順に説明する。
【００１５】
以下、駆動手段について説明する。
モーター１がフレーム１３にボルト３５で固着され、前記モーター１の軸１ａに歯車２が止着されている。前記歯車２と噛み合う歯車３と一体的に構成された歯車４がフレーム１３に止着された軸６に回転可能に配設されている。前記歯車４と噛み合う歯車５がフレーム１３に回転可能に配設された軸７に圧入によって固着され、前記軸７の先端には面取り７ａ部が成形されている。前記歯車の組合せによって前記モーター１の回転数が所定の減速比で軸７に出力される。
【００１６】
以下、円運動変換手段について説明する。
前記駆動手段の軸７と同軸でフレーム１３にベアリング押え１６で固定されたベアリング２０を介して回転可能に回転盤１４が支承され、前記回転盤１４の中心に形成した半月状の穴１４ａと前記駆動手段の軸７の先端の面取り部７ａが回転不能に係合している。
前記フレーム１３には前記軸７と同軸で一体的に固定歯車８が配設され、前記固定歯車８の中心を軸７が所定の隙間をもって貫通している。
前記回転盤１４には、その中心から所定の間隔（この間隔の２倍が揉み部材の円運動の直径となる）離れた位置にあるブッシュ２２ａ、２２ｂを介して回転可能に主軸１０が配設され、前記主軸１０の一端には主歯車９が止着されている。
前記固定歯車８と主歯車９の歯数比は１：１に構成され、固定歯車８と主歯車９のそれぞれと係合する中間歯車１１が、回転盤１４に支承した中間軸１２に回転可能に配設されている。前記駆動手段の軸７の回転を入力として、主軸１０に円運動として出力されフレーム１３に対して回転をしない。
【００１７】
主歯車９と中間軸１１は互いに噛み合っているが、表示の便宜のため図２では噛み合っていないような記載としている。
本実施形態では、駆動手段と円運動変換手段のフレーム１３を一体としたが、別体で構成してもよい。
本実施形態では、円運動変換手段を歯車伝動で構成したが、構造を限定するものではない。
本実施形態では、円運動変換手段の回転直径を１６mm、円運動の回数を１００回／分としたが、揉み手段の回転直径は１０〜１６ｍｍ、円運動の回数は６０〜１５０回／分の範囲が好ましい。
【００１８】
以下、揉み手段について説明する。
前記主軸１０のもう一方の端には、Ｙ型をした板バネ１５と一体に構成されたボス部１５ａが止めネジ３４で止着されている。前記Ｙ型をした板バネ１５の夫々の端は揉み部材受け１８にボルト３３によって止着され、前記ボス１５ａの先端はＲ球に成形され揉み部材受け１８の中心に成形された凹部１８ａと係合してスラスト方向の力を受ける。前記板バネ１５の変形によって揉み部材受け１８は主軸１０に対して所定の角度揺動可能となっている。
【００１９】
前記揉み部材受け１８には、外周近傍に溝１８ｂが成形され、前記溝１８ｂには揉み部材１９の縁が着脱可能に装着されている。
前記揉み部材１９には、先端が半球状からなる複数個の突起１９ａが形成され、マッサージの際に頭皮と係合する。前記突起１９ａは根元が先端より大きいテーパー状とし、先端は半径1ｍｍから２ｍｍの半球状とするのが好ましい。
なお、本実施形態では、突起１９ａの高さが６ｍｍ、先端は半径１．５ｍｍの半球状としている。前記揉み部材の材質は、弾性のあるシリコンゴム、プラスチック等の材料が好ましい。
前記揉み部材１９の外径とほぼ同径のガーゼ、不織布または化粧紙等の柔らかいものを複数枚重ねて作られたパッド３６を被せて、マッサージの際に頭皮からでる脂の吸着と、より手の平でマッサージする感覚が得られる。また、支持部材２１と揉み部材１９の全体を覆うように着脱可能な凹状のキャップ（図示せず）を被せてマッサージを行うことによって衛生面の配慮ができる。
【００２０】
以下、押し付け手段について説明する。
前記円運動変換手段のフレーム１３に設けたフランジ部１３ｂには複数個の穴１３ａ（本実施形態では３個）が成形され、前記穴１３ａのそれぞれと摺動自在に係合するにピン２６が貫通し、前記ピン２６の一端はリング状のプレート２４にカシメ２６ａによって固着され、前記ピン２６の他端には、プレート２４から所定の間隔でナット３０が２重で止着されている。
前記それぞれのピン２６には、前記フレーム１３のフランジ部１３ｂと前記ナット３０の間に両端にスプリング受け２８、２９を介して圧縮コイルばね２７が所定の圧縮力で装着され、フレーム１３のフランジ部１３ｂをプレート２４に押し付けている。
前記穴１３ａはフランジ１３ｂがピン２６に対して揺動（傾斜したり横方向へ所定の範囲自由に動ける）できるように、余裕をもった穴径としてある。
前記プレート２４の外周近傍は支持部材２１とケーシング３１の間に挟まれボルト２５によって止着されている。
前記押し付け手段で頭皮を押し付ける適切な力は、本実施形態では８００ｇ程度としているが、心地よく感じる力には個人差があるが５００〜１５００ｇに設定するのが好ましい。
【００２１】
以下、支持手段について説明する。
前記リング状のプレート２４の中心には穴２４ａが成形され、前記穴２４ａをフレーム１３が貫通し、穴２４ａと前記フレーム１３の外周の隙間はフレーム１３が揺動するときに当たらない十分な隙間をもっている。
前記筒状の支持部材２１は揉み部材１９を囲うように構成され、支持部材２１の内径は内部で揉み部材１９が円運動できるに十分な隙間を有し、その一端のＲ部２１ａがマッサージの際に患部と係合する。
本実施形態では、支持手段を円筒状としたが、複数個の脚を揉み手段の円運動の外周近傍に配設したものであってもよい。
【００２２】
カバー２３は布で円錐筒状に成形され、その他端が前記プレート２４と重ねて支持部材２１とケーシング３１の間に挟まれて止着され、もう一方の端は揉み部材受け１８に成形された溝１８ｃ部にスプリングリング３２によって止着されている。前述のように回転部分がカバー２３によって遮断されマッサージ中に頭髪が回転部に巻き付かないようにされている。
ケーシング３１の上部には、マッサージの際に手が入るように取手３１ａが成形されている。
【００２３】
次に本考案のマサージ器の作動について説明する。
モーター１に電源（図示せず）が投入されモーター１の軸１ａに止着された歯車２が回転して歯車３、４、５を経由して所定の減速比で軸７が回転すると、回転盤１４が図３において矢印Ｆ方向へ回転する。つぎに回転盤１４上に偏芯して回転可能に支承された主歯車１０と、中間歯車１１の軸心が矢印Ｆ方向へ移動することになり、固定歯車８と噛み合う中間歯車１１がＨ方向へ回転しながら固定歯車８の周りを回動し、前記中間歯車１１と噛み合う主歯車１０がＧ方向へ回転する。
【００２４】
すなわち、前記回転盤１４がＦ方向に１回転すると、主軸１０は回転盤１４とは逆方向のＧ方向に１回転することになり、主軸１０は前記円運動変換手段のフレーム１３に対し回転しないことになる。以上の動作によって主軸１０に回転不能に支持された揉み部材受け１８に取り付けた揉み部材１９は回転をしないで円運動のみを行うことになる。
【００２５】
図７に示すようにケーシング３１の取手３１ａ部に手を入れてケーシング３１が押えられ、揉み部材１９が頭皮に押し付けられると、支持部材２１の先端のＲ部２１ａが頭皮に軽く当たるまで圧縮コイルばね２７が圧縮されて、揉み部材１９の突起１９aによってパッド３６が頭皮に押し付けられて、前記圧縮コイルばね２７による押し付け力でマッサージが行われる。
【００２６】
図６は頭皮の横移動可能距離の小さい患部のマッサージをする場合を示し、揉み部材１９の回転運動が頭皮によって抑制されているため円運動変換手段が支持部材に対して傾いて、すなわち円運動変換手段が揺動運動をして揉み部材１９の実質の回転直径は円運動変換手段の回転直径よりも小さくなっている。
【００２７】
以下、マッサージの際の揉み手段と円運動変換手段の挙動について図８ａ、図８ｂ、図９に従って詳細に説明する。図８ａは揉み手段を患部に接触させないで運転している状態を示し、この場合は揉み手段部分に抵抗がないため揉み手段は円運動変換手段の主軸１０の回転直径で回転をする。
【００２８】
図８ｂは頭皮の横移動可能距離が円運動変換手段の主軸１０の回転直径よりも小さい患部に対してマッサージをする状態を示し、頭皮の横移動可能距離が小さいため揉み手段の回転直径の動きが抑制されて圧縮コイルバネ２７の部分が変位して円運動変換手段が傾斜、すなわち揺動運動をして頭皮上での揉み部材の実質の回転直径が小さくなる。
このようにして、個人差のある頭皮に対応して適切な回転直径と押し付け力でマッサージが行われるためマッサージの際に痛みを感じることもなく、頭皮を傷つけることもない。
【００２９】
頭皮の横移動可能寸法が円運動変換手段の円運動の回転直径より大きい場合は、図９に示すようにマッサージ器の軸心はほぼ垂直になっている。しかし、前記板バネ１５のバネ定数は前記押し付け手段の圧縮コイルバネのバネ定数よりもはるかに小さく構成されているため、揉み部材１９が頭皮に当たると板バネ１５が変形して主軸１０に対して揉み部材受け１８に取り付けた揉み部材１９が揺動をすることによって頭皮に均一に当たるように構成してある。
実際のマッサージにおいては、円運動変換手段の揺動運動と前記板バネ１５の変形による揉み手段の揺動の両者によって適切なマッサージが行われる。
【実施例２】
【００３０】
以下、本実施の形態を図に基づいて説明する。
図１０は本実施形態の断面図、図１１は図１０の矢印Ｍから見た側面図を示す。なお、説明は実施形態１と異なる部分のみ符号を付けて説明する。
床の上に機枠１０２が設置され、機枠１０２には減速機を有するモーター１０４がボルト１１１によって止着され、モーター１０４の軸１０４ａに止着したボス１０７と一体的に固着した可動支持部材１０３が回転可能に支持されている。前記可動支持部材１０３は前記モーター１０４によって駆動されＫの範囲（約１８０度の角度）で反復運動をなすように構成されている。
【００３１】
前記可動支持部材１０３に成形された半円球１０３ａの凹部には前記可動支持部材１０３の回転中心を挟んで所定の半径で２つの穴１０３ｂが成形され、前記それぞれの穴１０３ｂを貫通して前記実施形態１のマッサージ器１０１が配設されている。前記マッサージ器１０１は、可動支持部材１０３の中心近傍に止着したブラケット１０３ｃとピン１０７を介してアーム１０５が揺動可能に支持され、前記アーム１０５のもう一方の端には前記マッサージ器１０１の側面に止着されたピン１０４と揺動可能に係合している。
【００３２】
前記ピン１０４とピン１０７部でそれぞれのマッサージ器１０１がマッサージ器１０１の軸方向および可動支持部材１０３の法線方向に移動可能となっているため揉み部材２１ａが頭部の形状に応じて頭皮と均一に接触できる。前記アーム１０５に固着されたピン１０５ａと可動支持部材１０３に成形したフック１０３ｄの間に引張りコイルバネ１０６が懸架され、マッサージが行われないときはマッサージ器１０１を控えの位置へ戻す役目をする。
【００３３】
前記それぞれのマッサージ器１０１の揉み部材１９の反対側の面１０１ａと前記可動支持部材１０３の側面１０３ｅとの間には、ベローズ型をした伸縮可能なシリンダー１０９が配設され、マッサージの際に引っ張りコイルバネ１０６に抗して前記マッサージ器１０１を頭皮へ押し付けるように構成されている。前記シリンダー１０９のそれぞれには配管１１３を経て手動エヤーポンプ１１２が接続され必要に応じて人力で圧縮空気が供給される。  機枠１０２の下部両側に設けたガイド１０２ａに挟まれて枕１１０が図１０において左右方向へ移動可能に設置され、前記枕１１０の中央は凹状部分１１０ａが成形され、マッサージの際に首と頭部の一部を載せるように構成している。
【００３４】
本実施形態では、２個のマッサージ器１０１を使用したが、数量を限定するものではない。例えば、３個のマッサージ器１０１を使用した場合は、反復運動の角度は１２０度でよい。
本実施形態では、ベローズ型のシリンダー１０９を使用したが、環状のエヤーチューブまたは扁平の空気袋等を使用してもよい。
【００３５】
以下、本実施形態の作動について説明する。
マッサージの際は、頭部を枕１１０の凹部１１０ａに載せて頭部が揉み部材１９と軽く接触するようにする。
次に、エヤーポンプ１１２を使用してシリンダー１０９に圧縮空気を供給して、マッサージ器１０１の支持部材２１のＲ部２１ａが頭部に軽く接触するようにする。
次いで、押しボタンスイッチ（図示せず）が押されると、制御電源（図示せず）によって最初にマサージ器１０１が起動され回転を開始した後に、可動支持部材１０３を動かすモーター１０４に電源が投入され可動支持部材１０３は矢印Ｋの範囲で反復運動を開始する。
マッサージを開始してから所定の時間に設定されたタイマー（図示せず）がタイムアップすると全ての電源が遮断される。
【００３６】
本実施形態では前記反復運動の回転速度を１回転／分程度としたが、個人の好みに合わせて変更できるようにするのが好ましい。
本実施形態では、可動支持部材を所定の角度で反復運動をさせたが、一方向に回転させてもよい。
本実施形態では、可動支持部材を減速機付きのモーターで回転させたが、揉み部材の円運動を利用して自走するようにしてもよい。
本実施形態では、マッサージ器を床に設置したが、ベッド、リクライニング付き椅子等に取り付けできるようにしてもよい。また、図１０を９０度右回転させた状態にして椅子に固定するか、天井等から吊り下げるようにしてもよいが、身体をできるだけ横にさせてマッサージを行う方が首に負担がかからずリラックスできるので好ましい。
【図面の簡単な説明】
【００３７】
【図１】本考案の実施形態１を示す装置の断面図である。
【図２】図１のＡ−Ａ断面図を示す説明図である。
【図３】図１のＢ−Ｂ断面図で歯車の噛み合いと回転方向を示す説明図である。
【図４】図１のＣ−Ｃ断面図を示す説明図である。
【図５】図１における揉み部材を矢印Ｄから見た平面図である。
【図６】図１の装置を頭部に当てマッサージをしている状態を示す断面図である。
【図７】図６を矢印Ｅから見た側面図である。
【図８ａ】揉み手段の円運動の直径を示す説明図である。
【図８ｂ】揉み手段が円運動に対して抑制を受けた場合の実質の円運動の直径を示す説明図である。
【図９】揉み手段が円運動に対して抑制を受けない場合のマッサージの状態を示す説明図である。
【図１０】本考案の実施形態２を示す装置の断面図である。
【図１１】図１０を矢印Ｍから見た側面図である。
【図１２】頭皮の横移動可能距離の説明図である。
【符号の説明】
【００３８】
１  モーター
２  歯車
３  歯車
４  歯車
５  歯車
６  軸
７  軸
８  固定歯車
９  主歯車
１０  主軸
１１  中間歯車
１２  中間軸
１３  フレーム
１４  回転盤
１５  板バネ
１６  ベアリング押え
１７  ボルト
１８  揉み部材受け
１９  揉み部材
２０  ベアリング
２１  支持部材
２２  ブッシュ
２３  カバー
２４  プレート
２５  ボルト
２６  ピン  
２７  圧縮コイルばね
２８  スプリング受け
２９  スプリング受け
３０  ナット
３１  ケーシング
３２  スプリングリング
３３  ボルト
３４  止めネジ
３５  ボルト
３６  パッド
【図１】
0003159397.tif 000003
【図２】
0003159397.tif 000004
【図３】
0003159397.tif 000005
【図４】
0003159397.tif 000006
【図５】
0003159397.tif 000007
【図６】
0003159397.tif 000008
【図７】
0003159397.tif 000009
【図８ａ】
0003159397.tif 000010
【図８ｂ】
0003159397.tif 000011
【図９】
0003159397.tif 000012
【図１０】
0003159397.tif 000013
【図１１】
0003159397.tif 000014
【図１２】
0003159397.tif 000015